(57)【特許請求の範囲】
【請求項１】
棚板と、第１棚受部を有して前記棚板の高さ位置を調節自在とするための調節部が設けられた複数の側板とを備え、１対の前記側板の間に架設された前記棚板の両側部が前記１対の側板の前記第１棚受部にそれぞれ支持されることで前記棚板が前記１対の側板に支持される物品載置棚において、
前記第１棚受部は、前記各側板に上下方向に間隔をおいて複数段設けられ、前記各第１棚受部は、前記各側板を左右方向に貫通して前記各側板の前方に開放すると共に前後方向に延びる第１スリットを設けることにより前記各側板の前部に形成され、前記棚板の前記各側部は、前記第１スリットに対して前方から前後方向に抜き差し自在な第１凸部を有し、前記第１棚受部は前記側板の板厚の略全厚みを利用して前記第１凸部を支持し、前記第１凸部が前記第１スリットに差し込まれることで前記棚板が前記第１棚受部に支持されると共に、前記第１凸部の前記第１スリットに対する前方からの抜き差しにより、前記棚板が前記１対の側板に対して前方から前後方向に抜き差しされることを特徴とする物品載置棚。
【請求項２】
前記物品載置棚は、前記１対の側板の間に位置する背板を備え、該背板には、前記複数の第１棚受部にそれぞれ対応する高さ位置に設けられた複数段の第２棚受部が設けられ、該各第２棚受部は、前記背板を前後方向に貫通すると共に左右方向に延びる第２スリットを設けることにより形成され、前記棚板の後部は、前記第２スリットに対して前後方向に抜き差し自在な第２凸部を有し、該第２凸部が前記第２スリットに後方に突出しないように差し込まれることで、前記棚板が前記第２棚受部に支持され、前記第２凸部の前記第２スリットに対する前方からの抜き差しにより、前記棚板が前記背板に対して前方から前後方向に抜き差しされることを特徴とする請求項１記載の物品載置棚。
【請求項３】
前記各第２スリットは、上下方向に延びる仕切部により左右方向に分けられた複数の部分スリットからなり、前記各部分スリットに前記第２凸部が差し込まれることを特徴とする請求項２記載の物品載置棚。
【請求項４】
前記第２凸部に設けられた被係止部が、前記第２棚受部に設けられた係止部と係合することにより、前記棚板の前方への移動が規制されることを特徴とする請求項２または請求項３記載の物品載置棚。
【請求項５】
前記物品載置棚は、前後方向の反対方向をそれぞれ前面とする第１棚部および第２棚部を有する複式の棚であり、前記棚板は、第１棚板および第２棚板からなり、前記背板は、前記第１棚部および前記第２棚部に共通の単一の背板であり、前記第２凸部に設けられた凹溝が、前記第２棚受部に設けられた１条の突条と係合することにより、前記棚板の前方への移動が規制され、前記第１棚板の前記凹溝と前記第２棚板の前記凹溝とは、前記凸条と左右方向の異なる位置で係合し得ることを特徴とする請求項２ないし請求項４のいずれか１項記載の物品載置棚。
【請求項６】
前記物品載置棚は、前後方向の反対方向をそれぞれ前面とする第１棚部および第２棚部を有する複式の棚であり、前記棚板は、第１棚板および第２棚板からなり、前記背板は、前記第１棚部および前記第２棚部に共通の単一の背板であり、前記第１棚板の前記第２凸部および前記第２棚板の前記第２凸部は、前記第２棚受部にて、左右方向の異なる位置で支持され、前記第１棚板および前記第２棚板は、同一仕様の棚板であることを特徴とする請求項２ないし請求項４のいずれか１項記載の物品載置棚。
【請求項７】
前記各側板の前面には、前記第１スリットの、前方に開放されている部分を覆う前面化粧部材が、着脱自在に取り付けられていることを特徴とする請求項１ないし請求項６のいずれか１項記載の物品載置棚。
【発明の詳細な説明】
【０００１】
【発明の属する技術分野】
本願発明は、書籍、ファイル等の書籍類、その他の物品が置かれる棚板と、該棚板の高さ位置を調節自在とするための調節部を有する側板とを備えた物品載置棚に関する。
【０００２】
【従来の技術】
従来、棚板の高さ位置を調節自在とするための調節部を有する側板を備えた種々の物品載置棚が知られている。例えば、特開平８−１９１７２４号公報に開示された書棚では、金属製の棚柱が、左右の側板の内側面に上下方向に延びて互いに平行に埋め込まれ、該棚柱に上下方向に間隔をおいて設けられた多数の係止孔に、円筒形の棚受具が取外し可能に係止される。そして、各側板の棚受具が、棚板の下面に設けられた凹溝に嵌入されることで、棚板が１対の側板に支持される。
【０００３】
【発明が解決しようとする課題】
ところで、前記従来の書棚において、棚板を所望の高さ位置に支持するためには、棚受具を所望する棚板の高さ位置の係止孔に係止させて、その後、棚板の下面に設けられた凹溝に棚受具を嵌入させる必要があり、また既にセットされている棚板の高さ位置を調節するためには、一旦、棚板を外して、次いで棚受具を係止孔から外し、その棚受具を所望の高さ位置の係止孔に係止させて、その後、棚板の凹溝に棚受具を嵌入させることになる。
【０００４】
このように、棚板の高さ位置を調節する場合、棚受具を係止孔に係止させる作業、および棚受具を棚板の下面の凹溝に嵌入させる作業、場合によっては、さらに棚受具を係止孔から取り外す作業が必要となって、棚板の高さ位置の調節は時間がかかる作業となっていた。
【０００５】
そこで、棚受具を使用することなく、棚受部を、側板の内側面に設けられて前後方向に延びる溝を設けることにより形成することも考えられるが、棚受部の支持強度を確保するためには、溝の深さを深くする必要があるので、その深い溝が形成される側板の強度を確保する必要上、側板の板厚が厚くなって、書棚の左右方向の寸法が大きくなり、さらに重量も増大する難点がある。
【０００６】
本願発明は、このような事情に鑑みてなされたものであって、請求項１〜請求項７記載の発明は、棚板の高さ位置の調節作業が短時間で済み、しかも棚の大型化および重量増を招来することなく十分な支持強度の棚受部を有する物品載置棚を提供することを共通の目的とする。そして、請求項２記載の発明は、さらに、スリットの前後方向の寸法を小さくして、側板の強度を向上させることを目的とし、請求項３記載の発明は、さらに、棚板を支持する単一の背板の強度の低下を抑制することを目的とし、請求項４記載の発明は、さらに、棚受部において前方への移動を規制して、棚板を安定した状態で支持することを目的とし、請求項５記載の発明は、さらに、棚受部における前方への移動規制部分の形成を容易にし、かつ同一段の棚受部においても２枚の棚板を共通の背板に安定した状態で支持し得ることを目的とし、請求項６記載の発明は、複式の物品載置棚のコスト削減を図ることを目的とし、請求項７記載の発明は、さらに、棚受部の欠け等の破損を確実に防止することを目的とする。
【０００７】
【課題を解決するための手段および発明の効果】
本願の請求項１記載の発明は、棚板と、第１棚受部を有して前記棚板の高さ位置を調節自在とするための調節部が設けられた複数の側板とを備え、１対の前記側板の間に架設された前記棚板の両側部が前記１対の側板の前記第１棚受部にそれぞれ支持されることで前記棚板が前記１対の側板に支持される物品載置棚において、前記第１棚受部は、前記各側板に上下方向に間隔をおいて複数段設けられ、前記各第１棚受部は、前記各側板を左右方向に貫通して前記各側板の前方に開放すると共に前後方向に延びる第１スリットを設けることにより前記各側板の前部に形成され、前記棚板の前記各側部は、前記第１スリットに対して前方から前後方向に抜き差し自在な第１凸部を有し、前記第１棚受部は前記側板の板厚の略全厚みを利用して前記第１凸部を支持し、前記第１凸部が前記第１スリットに差し込まれることで前記棚板が前記第１棚受部に支持されると共に、前記第１凸部の前記第１スリットに対する前方からの抜き差しにより、前記棚板が前記１対の側板に対して前方から前後方向に抜き差しされる物品載置棚である。
【０００８】
この請求項１記載の発明によれば、棚板を１対の側板間で架設するときは、棚板が１対の側板間に挿入され、棚板の各側部の第１凸部が、所望の高さ位置にある第１スリットに、前方から後方に向かって差し込まれることで、棚板が第１棚受部に支持される。また、棚板の高さ位置を調節するときは、棚板が前方に引き出されて、第１凸部が第１スリットから抜き出され、その後、第１凸部が所望の高さ位置にある別の第１スリットに差し込まれて、棚板が新たな第１棚受部に支持される。また、第１凸部が第１棚受部に支持された状態で、第１棚受部は側板の板厚の略全厚みを利用して凸部を支持する。
【０００９】
その結果、棚板をセットするときは、第１凸部を所望の高さ位置にある第１スリットに前方から差し込み、また、棚板の高さ位置を調節するときは、第１凸部を第１スリットから前方に抜き出して、その後、所望の高さ位置にある別の第１スリットに差し込めばよいため、棚板のセットおよび棚板の高さ位置の調節が短時間でできる。
また、棚板は、側板の板厚の略全厚みを利用する第１棚受部により支持されるので、側板の板厚が、第１棚受部の支持面の厚みよりも大きく厚くなることがなく、したがって物品載置棚の大型化および重量増を招来することなく、第１棚受部の十分な支持強度を確保できる。
【００１６】
請求項２記載の発明は、請求項１記載の物品載置棚において、前記物品載置棚は、前記１対の側板の間に位置する背板を備え、該背板には、前記複数の第１棚受部にそれぞれ対応する高さ位置に設けられた複数段の第２棚受部が設けられ、該各第２棚受部は、背板を前後方向に貫通すると共に左右方向に延びる第２スリットを設けることにより形成され、前記棚板の後部は、前記第２スリットに対して前後方向に抜き差し自在な第２凸部を有し、該第２凸部が前記第２スリットに後方に突出しないように差し込まれることで、前記棚板が前記第２棚受部に支持され、前記第２凸部の前記第２スリットに対する前方からの抜き差しにより、前記棚板が前記背板に対して前方から前後方向に抜き差しされるものである。
【００１７】
この請求項２記載の発明によれば、棚板の両側部の第１凸部が１対の側板にそれぞれ支持され、その後部の第２凸部が背板に支持されるので、棚板に置かれた物品の重量による荷重が、第１凸部および第２凸部に分散され、側板および背板に支えられる。これにより、第１凸部が負担する荷重が減少するため、第１凸部の前後方向の寸法を短くすることができ、したがって第１凸部が支持される第１棚受部を形成する第１スリットの前後方向の寸法を短くすることが可能となって、第１スリットの形成による側板の強度低下を抑えることができる。さらに、棚板が、１対の側板の第１棚受部および背板の第２棚受部で支持されるにも拘わらず、棚板のセットおよび高さ位置の調節のときは、棚板を第１スリットおよび第２スリットに対して、前方から差し込んだり抜き出したりすればよい。
また、第２凸部が第２スリットに差し込まれて、棚板が第２棚受部に支持されることにより、最大限で、背板の板厚の略全厚みを利用して各第２凸部を支持することが可能である。
【００１８】
その結果、棚受部を形成する第１スリットの寸法を短くして、第１スリットの形成による側板の強度低下を抑えることができるので、側板の板厚を薄くすることが可能となって、物品載置棚が小型化および軽量化される。さらに、棚板が、側板および背板で支持されるにも拘わらず、第１スリットおよび第２スリットに対して、棚板を前方から抜き差しするのみで、棚板のセットおよび棚板の高さ位置の調節が短時間でできる。また、第２凸部は、背板に第２スリットを設けることにより形成される第２棚受部に支持されることから、最大限で、背板の板厚の略全厚みを利用して各第２凸部を支持することが可能となるので、棚板は背板の板厚の厚みにより安定した状態で支持され、しかも全厚みを利用することにより、背板の板厚も薄くすることが可能となって、物品載置棚の小型化および軽量化ができる。
【００１９】
請求項３記載の発明は、請求項２記載の物品載置棚において、前記各第２スリットは、上下方向に延びる仕切部により左右方向に分けられた複数の部分スリットからなり、前記各部分スリットに前記第２凸部が差し込まれるものである。
【００２０】
この請求項３記載の発明によれば、第２スリットが設けられた背板は、部分スリットの間に位置する仕切部で上下方向に連続するため、背板が上下方向に複数の第２スリットを有するにも拘わらず、この仕切部によって背板の強度の低下を抑制できる。
【００２１】
その結果、複数の第２スリットを有する背板は、部分スリットの間に設けられた仕切部により強度の低下が抑制されるので、隣接する第２スリットの形成間隔を狭くしても、棚板を支持するのに十分な強度が得られ、棚板の高さ位置の最小調節量、すなわち調節ピッチの設定の自由度が大きくなる。
【００２７】
請求項４記載の発明は、請求項２または請求項３記載の物品載置棚において、前記第２凸部に設けられた被係止部が、第２棚受部に設けられた係止部と係合することにより、前記棚板の前方への移動が規制されるものである。
【００２８】
この請求項４記載の発明によれば、棚板に設けられた第２凸部の被係止部が、背板に設けられた第２棚受部の係止部に係合するので、棚板は、その第１凸部が第１棚受部に差し込まれているだけであるにも拘わらず、前方に移動しにくくなって、前方に開放している第１スリットから第１凸部が抜け出しにくくなる。
【００２９】
その結果、棚板が第１，第２棚受部に支持された状態では、棚板の被係止部と第２棚受部の係止部とが係合するので、棚板が前方に移動しにくくなって、棚板を所定位置に安定して保持でき、棚板上で物品を移動させる際等に棚板が移動することはない。
【００３０】
請求項５記載の発明は、請求項２ないし請求項４のいずれか１項記載の物品載置棚において、前記物品載置棚は、前後方向の反対方向をそれぞれ前面とする第１棚部および第２棚部を有する複式の棚であり、前記棚板は、第１棚板および第２棚板からなり、前記背板は、前記第１棚部および前記第２棚部に共通の単一の背板であり、前記第２凸部に設けられた凹溝が、前記第２棚受部に設けられた１条の突条と係合することにより、前記棚板の前方への移動が規制され、前記第１棚板の前記凹溝と前記第２棚板の前記凹溝とは、前記凸条と左右方向の異なる位置で係合し得るものである。
【００３１】
この請求項５記載の発明によれば、各第２凸部の凹溝が第２棚受部の凸条に係合するので、棚板は、その第１凸部が第１棚受部に差し込まれているだけであるにも拘わらず、前方に移動しにくくなって、前方に開放している第１スリットから第１凸部が抜け出しにくくなる。さらに、第２棚受の１条の凸条が、第１，第２棚板で共用されるため、第１，第２棚板の凹溝が係合する凸条を別々に設ける必要がなく、加工形成が容易であると共に、背板の板厚を厚くする必要もない。
【００３２】
その結果、棚板が第１，第２棚受部に支持された状態では、棚板の凹溝と第２棚受部の凸条とが係合するので、棚板が前方に移動しにくくなって、棚板を所定位置に安定して保持でき、棚板上で物品を移動させる際等に棚板が移動することはない。さらに、第２棚受部には凸条を１条設けるのみであるので、凸条の加工形成が容易となり、しかも凸条を形成するために背板の板厚を厚くする必要もないので、背板の板厚を薄くできて、物品載置棚の小型化および軽量化ができる。
【００３３】
請求項６記載の発明は、請求項２ないし請求項４のいずれか１項記載の物品載置棚において、前記物品載置棚は、前後方向の反対方向をそれぞれ前面とする第１棚部および第２棚部を有する複式の棚であり、前記棚板は、第１棚板および第２棚板からなり、前記背板は、前記第１棚部および前記第２棚部に共通の単一の背板であり、前記第１棚板の前記第２凸部および前記第２棚板の前記第２凸部は、前記第２棚受部にて、左右方向の異なる位置で支持され、前記第１棚板および前記第２棚板は、同一仕様の棚板であるものである。
【００３４】
この請求項６記載の発明によれば、背板の板厚により規定される第２棚受部の支持面上の左右方向の同一位置で、同一段に架設された第１棚板および第２棚板の第２凸部の後面同士が対向することがなく、最大限で、背板の板厚の略全厚みを利用して各第２凸部を支持することが可能である。その結果、同一段の棚受部においても、第１，第２棚板は背板の板厚の厚みにより安定した状態で支持され、しかも全厚みを利用することにより、背板の板厚も薄くすることが可能となって、物品載置棚の小型化および軽量化ができる。さらに、第１，第２棚板は同一仕様であるため、量産化効果を発揮できる。その結果、量産化効果により複式の物品載置棚のコスト削減ができる。
【００３５】
請求項７記載の発明は、請求項１ないし請求項６のいずれか１項記載の物品載置棚において、前記各側板の前面には、前記第１スリットの、前方に開放されている部分を覆う前面化粧部材が、着脱自在に取り付けられているものである。
【００３６】
この請求項７記載の発明によれば、前面化粧部材により、側板の前縁にある第１棚受部が覆われるので、物体が第１棚受部に接触するのが防止される。また、各化粧部材は着脱自在であるので、該各化粧部材の交換等のメンテナンスが容易である。さらに、前面化粧部材によりスリットの前方に開放されている部分が覆われるため、棚板が前方に抜け出すことが防止される。そして、着脱自在とされた前面化粧部材を外すことにより、棚板の高さ位置を調節することができる。
【００３７】
その結果、第１棚受部が前面化粧部材により覆われて、物体が第１棚受部に接触するのが防止されるので、物体の接触により第１棚受部に欠け等の損傷が発生するのを防止できる。また、各化粧部材は着脱自在であるのでメンテナンスが容易である。さらに、前面化粧部材を取り付けることにより、第１スリットの、前方に開放されている部分が覆われるため、棚板が前方に抜け出すことが防止される。そして、棚板の高さ位置の調節は、着脱自在の前面化粧部材を外すことにより容易にできる。
【００３８】
なお、この明細書において、前後左右は、物品載置棚を正面から見たときの前後左右を意味し、第１棚部においては、図１において矢印A1方向に見たときの前後左右であり、第２棚部においては、図１において矢印A2方向に見たときの前後左右を意味するものとする。また、左側部および右側部を区別する必要がないときは、それらを側部と総称し、左端および右端を区別する必要がないときは、それらを側端と総称する。
【００３９】
【発明の実施の形態】
以下、本願発明の実施例を図１ないし図１４を参照して説明する。
図１は、本願発明の物品載置棚の実施例である書棚１の一部分解された状態を示す斜視図であり、図３は書棚１の部分正面図である。この書棚１は、例えば図書館で使用されるものであり、図１において、前後方向の反対方向である矢印A1から見たときの前面を第１前面とし、矢印A2から見たときの前面を第２前面とする組立式の３連複式書棚である。書棚１は、４枚の側板２，３と、３枚の同一仕様の背板４と、３０枚の同一仕様の棚板５，６、６枚の同一仕様の底板７，８、３枚の同一仕様の天板９、３台の同一仕様の基部10とを備える。
【００４０】
このうち、側板２，３は、書棚１の左右両端の２枚の同一仕様の端部側板２と、両端部側板２，２の間に配置される２枚の同一仕様の中間側板３とからなり、中間側板３は端部側板２の２倍の板厚を有する。また、図６のＩＶ−ＩＶ線での部分断面図である図４、図４の部分拡大図である図５、および図３のＶＩ−ＶＩ線断面図である図６に図示されるように、各棚板５，６の下面には、左右方向に所定長さを有し、前後方向に所定幅の１条の凹溝11が設けられ、該凹溝11の前壁面および後壁面に設けられた円弧状の１対の係合溝11a，11bに、棚板５，６および底板７，８に載置された物品である書籍やファイル等の書籍類の倒れを防止するための、バネ鋼からなるブックサポート12の１対の係合部が、ブックサポート12自体が有する弾性力を利用して、それぞれ係合する。
【００４１】
また、書棚１は、端部側板２および中間側板３、両中間側板３，３、そして中間側板３および端部側板２からなる３組の１対の隣接する側板の間で、前後方向の中央部に配置された単一の背板４を境に、第１前面側の第１棚部および第２前面側の第２棚部を有する。第１棚部は、第１底板７および天板９の間に配置されて各組の１対の側板２，３、３，３の間に架設された５枚の第１棚板５により仕切られた６段の棚段を有し、同様に、第２棚部は、第２底板８および天板９の間に配置されて各組の１対の側板２，３、３，３の間に架設された５枚の第２棚板６により仕切られた６段の棚段を有する。
【００４２】
ここで、端部側板２および中間側板３、背板４および棚板５，６は、竹の集成材により形成されている。具体的には、図１の部分拡大図である図２に図示されるように、端部側板２は、竹の繊維の方向に細長い板状の細片が、書棚１が組み立てられた状態で、上下方向に多数積層されて一体化されていて、竹の繊維の方向が前後方向とされている。また、中間側板３も端部側板２と同じ態様の竹の集成材で形成されている。一方、背板４は、竹の繊維の方向に細長い板状の細片が、上下方向に多数積層されて一体化されていて、竹の繊維の方向が左右方向とされており、また棚板５，６は、図５に図示されるように、竹の繊維の方向に細長い板状の細片が、前後方向に多数積層されて一体化されていて、竹の繊維の方向が左右方向とされている。
【００４３】
以下、書棚１の右側の端部側板２および右側の中間側板３からなる１対の側板の間における、第１，第２棚部の６段の棚段を形成するための構造について、図１〜図９を参照して詳細に説明するが、残りの２組の１対の側板の間、すなわち両中間側板３，３の間、そして左側の中間側板３および左側の端部側板２の間における第１，第２棚部の６段の棚段を形成するための構造も、以下に説明する構造と同じである。
【００４４】
図１および図４を参照すると、長方形状の枠体により形成される基部10は、右側枠部および左側枠部にそれぞれ２個ずつ固定されたアングル材13（図１および図４には左側の枠部に固定されるアングル材13が示されている）により、床等の基盤に固定される。端部側板２および中間側板３は、両側板２，３の下部に設けられた埋込みナットに、それら側板２，３の間に配置された基部10に設けられたボルト孔14を貫通するボルト15が螺合されることで、基部10に結合され、さらに、両側板２，３の上部に設けられた埋込みナットに、それら側板２，３の間に配置された天板９の枠体16に設けられたボルト孔17を貫通するボルト（図示されず）が螺合されることで、天板９に結合される。そのため、天板９の右側部および左側部には、ボルトを締結するための作業用の空間18が形成されている。そして、天板９の枠体16の下面全体は、１枚の外板19で覆われており、枠体の上面全体は、中央部の外板20と、前記空間18を覆うために、木ネジで枠体に固定される左右１対の蓋板21とで覆われる。
【００４５】
天板９の第１，第２前面側の前面には、見出し札を入れるホルダ22が装着される装着部23が設けられる。図３のＶＩＩ−ＶＩＩ線での部分断面図である図７、図３のＶＩＩＩ−ＶＩＩＩ線での部分断面図である図８およびホルダ22の斜視図である図９を併せて参照すると、第１前面の装着部23は、天板９の第１前面の左右方向の全長に渡って設けられた幅広の収容溝23aと、収容溝23aの底壁面において、上下方向の中央部に収容溝23aよりも幅が狭く天板９の左右方向の全長に渡って設けられた係止溝23bとから構成される。係止溝23bは、その開口23b1から底壁面に向かうほど上下方向の幅が増大する蟻ほぞ形状の溝となっている。また、第２前面側の前面においても、第１前面側の前面の装着部23と同一構造の装着部23が設けられる。
【００４６】
そして、透明な合成樹脂から形成された左右方向に長い長方形状のホルダ22は、見出し札が挿入される挿入部22aと、ホルダ22の中央部に所定の左右方向の長さを有して形成された上下１対の係止片22b1からなる係止部22bとを有する。挿入部22aは、平板状の表示部22a1と、該表示部22a1の上部および下部がＵ字状に後方に湾曲されて、ホルダ22の上下方向の中央位置付近まで延びる平板状の上下１対の保持部22a2との間に形成される挿入空間22a3を有し、該挿入空間22a3に左右方向から見出し札が挿入される。また、１対の保持部22a2と連続してそれぞれ形成された両係止部22b1の上下方向の間隔は、挿入部22a側から先端部に向かうほど、係止溝23bの上下方向の幅に対応して増大して、係止溝23bの開口23b1の上下方向の幅よりも大きくなり、その先で、両先端部が相互に近づくように湾曲されて、両先端部の最先端22b2の上下方向の外側の間隔が開口23b1の上下方向の幅よりも小さくされる。これによって、天板９にホルダ22を装着する際は、両係止片22b1の先端部を係止溝23bの開口23b1に当接させて押し込むことにより、ホルダ22は、係止片22b1のもつ弾性を利用して容易に係止溝23bに係合して天板９に装着され、またホルダ22の左右方向の移動も容易になる。
【００４７】
一方、背板４は、図１および図３に図示されるように、その下面に設けられた左右１対の段部4aが、基部10の前後方向での中央部の上面にそれぞれ当接して支持される。また、背板４の下部の第１，第２前面側において、左右方向での中央部には、左右方向に所定長さを有する支持部24（図４も併せて参照）が接合されている。そして、背板４の第１前面側および第２前面側で、基部10の上面に載置される第１底板７および第２底板８は、結合手段25により基部10および背板４に着脱自在に固定される。この結合手段25は、図１０に図示されるように、１対の把持部26aを有する合成樹脂製の雌型コネクタ26と、軸部27aを有する合成樹脂製の雄型コネクタ27とからなる。そして、各底板７，８の下面の前縁部および後縁部のそれぞれ２箇所に木ネジＢで固定された雌型コネクタ26の１対の把持部26aが、基部10の前枠部内側および背板４の下縁部のそれぞれ２箇所に木ネジＢで固定された雄型コネクタ27の軸部27aと係合して、該軸部27aを把持することにより、基部10に着脱自在に固定される。さらに、支持部24によって、第１，第２底板７，８の後縁部の中央部がそれぞれ支持されて、書籍類が置かれたときに第１，第２底板７，８が撓むのが防止される。
【００４８】
また、背板４は、端部側板２および中間側板３の互いに対向する内側面から突出するピン29（図１には中間側板３に設けられたピン29が示されている）を有する８個の結合手段28により固定される。すなわち、結合手段28は、背板４と中間側板３との結合部分の部分断面図であって、図３のＸＩ−ＸＩ線での部分断面図である図１１に図示されるように、中間側板３内に埋設されたナット30に螺合する鋼製のピン29と、背板４の第１前面側に木ネジＢで固定されたフランジ31aを有するナット31と、テーパ形状とされた先端部32aを有する係止ボルト32とを備え、ナット31に螺合する係止ボルト32の先端部32aが、ピン29に設けられたテーパ形状の係止穴29aに係合することにより、背板４と中間側板３とが結合される。なお、背板４と端部側板２との結合手段28も、ナット30が、中間側板３ではなく端部側板２に木ネジＢで固定される点が異なるのみで、その構造は、背板４と中間側板３との結合手段28と同じである。
【００４９】
ここで、各側板２，３に取り付けられた４本のピン29は、各側板２，３の前後方向の中央位置で、かつ上下方向に等間隔に配置され、また背板４に取り付けられた８個のナット31は、背板４の左右の側縁部4cに、ピン29の高さ位置に対応した位置で４個ずつ配置されている。そのため、背板４は、各側板２，３の前後方向の中央部に固定される。
【００５０】
また、図１〜図４を参照すると、端部側板２および中間側板３のそれぞれの第１，第２前面側の前部には、第１棚板５または第２棚板６を両側板２，３の間で架設するために、それら棚板５，６を支持する第１棚受部である棚受部40を有して、それら棚板５，６の高さ位置を調節自在とするための第１調節部である調節部C1が設けられている。
【００５１】
先ず、端部側板２の第１前面側の調節部C1について説明すると、端部側板２の前部において、底板７と天板９との間で上下方向の所定範囲に渡って等間隔に設けられた複数段、好ましくは多数段、この実施例では３４段の棚受部40を有する。各棚受部40は、端部側板２の前面に開口することで、前方に開放すると共に、前後方向に、しかも水平に所定長さで延びる第１スリットであるスリット41を、端部側板２を左右方向に貫通して設けることにより形成される。これら全てのスリット41は同一の形状および寸法を有し、各スリット41に対して、第１棚板５の後述する凸部5aが抜き差し自在とされる。それゆえ、端部側板２の一部である各棚受部40は、端部側板２の前縁部にその先端部が位置する。
【００５２】
また、スリット41の周壁面の一部である下壁面は、棚板５の右側凸部5aがスリット41に係合したとき、該凸部5aを支持する面であり、したがって、各スリット41の下方に形成される棚受部40の支持面40aを形成する。そして、隣接する棚受部40の支持面40aの上下方向の間隔は、スリット41の上下方向の形成間隔に依存し、棚板５の高さ位置を調節するときの最小調節量である調節ピッチを規定するものである。また、図６に図示されるように、凸部5aが端部側板２の棚受部40に支持されたとき、右側凸部5aの右側面は、端部側板２の外側面（右側面）と略同じ位置を占めるため、棚受部40は端部側板２の板厚の略全厚みを利用して右側凸部5aを支持している。
【００５３】
さらに、支持面40aの前後方向の長さは、凸部5aがスリット41の最後部位置まで差し込まれたとき、棚板５の前面が、端部側板２の前面と面一または前面から若干後退した位置となるように設定される。さらに、スリット41の上下方向の幅は、棚板５が両側板２，３の間に差し込まれた際に、背板４に設けられた後述するスリット51a，51bの凸条52a，52bに、棚板５の後部の後述する右側および左側凸部5c，5dの凹溝53a，53bをそれぞれ係合させる際、棚板５の若干の傾斜を許容するように、凸部5aが支持面40aに支持された状態で、スリット41の上壁面と棚板５の上面との間に若干の間隙Ｇ（図５参照）が形成されるように設定される。
【００５４】
一方、中間側板３の調節部C1も、中間側板３の板厚が端部側板２の板厚と異なる点を除いて、端部側板２の調節部C1と実質的に同様に設けられている。そして、図６に図示されるように、中間側板３のスリット41に左側凸部5bが係合して、該凸部5bが棚受部40に支持されたとき、凸部5bの左側面は、中間側板３の左右方向の略中央位置を占め、その左方では、両中間側板３，３に架設される棚板５の右側凸部5aの右側面が、やはり中間側板３の左右方向の略中央位置を占めている。このように、１枚の中間側板３の同一段の棚受部40には、左右方向に隣接する棚板５の２つの凸部5a，5bが左右方向に並んで支持され、中間側板３の棚受部40は、中間側板３の板厚の略全厚みを利用して、それら２つの凸部5a，5bを支持している。
【００５５】
さらに、端部側板２の第２前面側の調節部C1および中間側板３の第２前面側の調節部C1も、端部側板２および中間側板３の第１前面側の調節部C1とそれぞれ同一構造とされる。それゆえ、第１，第２棚板５，６は、第１，第２棚部の前方から、それぞれ、各スリット41に対して抜き差し自在とされる。
【００５６】
そして、図１〜図６を参照すると、右側の端部側板２および右側の中間側板３の１対の側板の調節部C1に対応して、背板４には、側板２，３の調節部C1の棚受部40の段数と等しい段数の棚受部50を有する第２調節部である調節部C2が設けられる。側板２，３の対応する棚受部40と等しい高さ位置に設けられた各棚受部50は、左右の側縁部4cを残して、左右方向で水平に所定長さで延びてスリット41と等しい段数の第２スリットであるスリット51を、背板４を前後方向に貫通して設けることにより形成される。各スリット51は、この実施例では、左右に分かれてい並んでいる２つの第１部分スリット51a（第１前面側から見て右方に位置する）および第２部分スリット51b（第１前面側から見て左方に位置する）からなり、両部分スリット51a，51bの左右方向の間は、背板４の中央部において上下方向に延びる仕切部4bとなっている。したがって、背板４の各棚受部50は、第１部分スリット51aを設けることにより形成される第１部分棚受部50a、および第２部分スリット51bを設けることにより形成される第２部分棚受部50bから構成され、各部分スリット51a，51bの周壁面の一部である下壁面は、棚板５，６の後部の各凸部5c，5d，6c，6dが対応する部分スリット51a，51bに係合したとき、該凸部5c，5d，6c，6dを支持する面であり、第１，第２部分スリット51a，51bの下方にそれぞれ形成される第１，第２部分棚受部50a，50bの支持面50a1，50b1を形成する。そして、上下方向に隣接する両部分棚受部50a，50bの支持面50a1，50b1の上下方向の間隔は、側板２，３のときと同様に、調節ピッチを規定するものである。
【００５７】
さらに、各部分スリット51a，51bの周壁面には、該周壁面の前後方向の中央部（背板４の前後方向の中央部）に１条の凸条52a，52bが全周に渡って設けられている。そして、各部分スリット51a，51bの下壁面、すなわち支持面50a1，50b1に設けられている凸条52a，52bは、棚板５，６の凹溝53a，53b，54a，54bから構成される被係止部と係合する第１，第２部分棚受部50a，50bの係止部を構成するものである。そして、各部分スリット51a，51bに対して、棚板５，６の後部の両凸部5c，5d，6c，6dが抜き差し自在とされ、両凸部5c，5d，6c，6dが各部分スリット51a，51bに係合したとき、支持面50a1，50b1に該凸部5c，5d，6c，6dが支持される。
【００５８】
次に、第１棚部の第１棚板５について説明する。図１および図６によく図示されるように、第１棚板５は、その側部である右側部および左側部の前部に、右方および左方にそれぞれ突出する第１凸部である右側凸部5aおよび左側凸部5bが設けられ、その後部には、左右方向に所定間隔をおいて、後方に突出する第２凸部である右側凸部5cおよび左側凸部5dが設けられる。
【００５９】
第１棚板５の両側部の右側および左側凸部5a，5bは、端部側板２および中間側板３の同一段にあるスリット41に係合することにより、同一段の棚受部40に支持され、これによって第１棚板５が両側板２，３に支持される。また、第１棚板５の後部の右側および左側凸部5c，5dには、第１部分棚受部50aの凸条52aおよび第２部分棚受部50bの凸条52bにそれぞれ係合する直線状の１条の凹溝53a，53bが、それぞれ左右方向にそれら凸部5c，5dの全長に渡って延びて設けられている。そして、右側および左側凸部5c，5dは、第１棚板５の両側部の凸部5a，5bが棚受部40に支持された状態で、両側板２，３と同一段にある第１，第２部分スリット51a，51bにそれぞれ係合して、両部分棚受部50a，50bに支持され、これによって第１棚板５が背板４に支持される。このとき、第１前面側から見て、右側凸部5cは第１部分スリット51aの右側に位置し、左側凸部5dは第２部分スリット51bの右側に位置すると共に、両凸部5c，5dの凹溝53a，53bが、第１，第２部分棚受部50a，50bの凸条52a，52bにそれぞれ係合しており、これによって、第１棚板５が両側板２，３および背板４に水平な状態で支持されると共に、第１棚板５の前方への移動が規制される。
【００６０】
一方、前述のように第１棚板５と同一仕様の第２棚板６においても、両側部に右側および左側凸部6a，6bが、その後部には右側および左側凸部6c，6dが、さらに該両凸部6c，6dに凹溝54a，54bが、それぞれ設けられており、第１棚板５と同じ形態で両側板２，３および背板４に支持される。それゆえ、背板４は第１，第２棚板５，６の共通の単一の背板４となっており、図６に図示されるように、同一段の第１，第２部分棚受部50a，50bにおいて、第２棚板６の右側凸部6cの凹溝54aおよび左側凸部6dの凹溝54bが、第１，第２部分棚受部50a，50bの凸条52a，52bに、それぞれ、第１棚板５の右側および左側凸部5c，5dの凹溝53a，53bの係合位置とは、左右方向で異なる位置で係合する。換言すると、第１棚板５の右側および左側凸部5c，5dの凹溝53a，53bと、第２棚板６の右側および左側凸部6c，6dの凹溝の凹溝54a，54bとが、凸条52a，52bに、左右方向で交互に係合する。すなわち、第１棚板５の右側凸部5cは、第１前面側から見て、第１部分棚受部50aの右側において、第２棚板６の後面と間隙を介して対向した状態で、第２棚板６の左側凸部6dの右側に位置し、第１棚板５の左側凸部5dは、第１前面側から見て、第２部分棚受部50bの右側において、第２棚板６の後面と間隙を介して対向した状態で、第２棚板６の右側凸部6cの右側に位置する。同様に、第２棚板６の右側凸部6cは、第１前面側から見て、第２部分棚受部50bの左側において、第１棚板５の後面と間隙を介して対向した状態で、第１棚板５の左側凸部5dの左側に位置し、第２棚板６の左側凸部6dは、第１前面側から見て、第１部分棚受部50aの左側において、第１棚板５の後面と間隙を介して対向した状態で、第１棚板５の右側凸部5cの左側に位置する。これによって、第１棚板５および第２棚板６の後面同士が当接することが回避されて、各棚板５，６が、背板４の中央部である仕切部4bおよび左右の側縁部4cに当接して、各棚板５，６の前面が確実に所定の位置を占めるようにされる。このとき、第１，第２部分棚受部50a，50bにおいて、棚板５，６の右側および左側凸部5c，5d，6c，6dは、背板４の板厚の厚み全体を利用して支持されていないが、各部分棚受部50a，50bは、十分な支持強度が得られる左右方向の長さを有している。そして、必要な場合は、背板４の板厚の略全厚みを利用して棚板５，６の右側および左側凸部5c，5d，6c，6dを支持することが可能である。
【００６１】
次に、前述のように構成された実施例の作用および効果について説明する。
第１，第２棚板５，６を３組の１対の側板２，３、３，３間に架設するときは、各棚板５，６が１対の側板２，３、３，３間に挿入され、各棚板５，６の両側部の右側および左側凸部5a，5b，6a，6bが、所望の高さ位置にある段のスリット41に、前方から後方に向かって差し込まれることで、棚受部40に支持され、各棚板５，６の後部の右側および左側凸部5c，5d，6c，6dが、側板２，３のスリット41と同じ段の第１，第２部分スリット51a，51bに差し込まれることで、第１，第２部分棚受部50a，50bに支持されるようにし、これによって、各棚板５，６が１対の側板２，３、３，３間および背板４にて支持される。棚板５，６の高さ位置を調節するときは、棚板５，６を若干傾斜させて、凹溝53a，54b，53b，54aと凸条52a，52bとの係合状態を解除してから、棚板５，６を前方に引き出すことにより、両凸部5c，5d，6c，6dが両部分スリット51a，51bから抜き出され、次いで両凸部5a，5b，6a，6bがスリット41から抜き出されて棚板５，６が外される。そして、棚板５，６の両凸部5a，5b，6a，6bが、上方または下方の所望の高さ位置にある別の段のスリット41に差し込まれ、さらに棚板５，６の両凸部5c，5d，6c，6dが、該スリット41と同じ高さ位置の段の第１，第２部分スリット51a，51bに、凹溝53a，54b，53b，54aが凸条52a，52bに係合するように差し込まれて、棚板５，６が新たな高さ位置の１対の側板２，３、３，３間および背板４の棚受部40，50にて支持される。
【００６２】
そして、凸部5a，5b，6a，6bが端部側板２の棚受部40に支持されたとき、棚受部40は端部側板２の板厚の略全厚みを利用して凸部5a，5b，6a，6bを支持し、中間側板３の同一段の棚受部40には、隣接する棚板５，６の２つの凸部5a，5b，6a，6bが左右方向に並んで支持され、中間側板３の棚受部40は、中間側板３の板厚の略全厚み、換言すれば各凸部5a，5b，6a，6bが中間側板３の板厚の略１／２の厚みを利用して、それら２つの凸部5a，5b，6a，6bを支持する。
【００６３】
その結果、各棚板５，６をセットするときは、側部の凸部5a，5b，6a，6bおよび後部の凸部5c，5d，6c，6dを、所望の高さ位置にあるスリット41および部分スリット51a，51bにそれぞれ差し込み、また、棚板５，６の高さ位置を調節するときは、側部の凸部5a，5b，6a，6bおよび後部の凸部5c，5d，6c，6dをスリット41および部分スリット51a，51bから抜き出して、その後、所望の高さ位置にある別のスリット41および部分スリット51a，51bにそれら凸部5a，5b，6a，6bおよび凸部5c，5d，6c，6dをそれぞれ差し込めばよいため、棚板５，６のセットおよび棚板５，６の高さ位置の調節が短時間でできる。また、棚板５，６は、側板２，３の板厚の略全厚みを利用することができる棚受部40により支持されるので、側板２，３の板厚が、棚受部40の支持面40aの厚みよりも大きく厚くなることがなく、したがって書棚１の大型化および重量増を招来することなく、棚受部40の十分な支持強度を確保できる。
【００６４】
また、棚板５，６の凸部5a，5b，6a，6bが１対の側板２，３、３，３間の棚受部40にそれぞれ支持され、棚板５，６の後部の凸部5c，5d，6c，6dが背板４の部分棚受部50a，50bに支持されるので、棚板５，６に置かれた書籍類の重量による荷重が、凸部5a，5b，6a，6bおよび凸部5c，5d，6c，6dに分散され、側板２，３および背板４に支えられる。これにより、凸部5a，5b，6a，6bが負担する荷重が減少するため、凸部5a，5b，6a，6bの前後方向の寸法を短くすることができ、したがって凸部5a，5b，6a，6bが支持される棚受部40を形成するスリット41の前後方向の寸法を短くすることが可能となって、スリット41の形成による側板２，３の強度低下を抑えることができる。
【００６５】
その結果、各側板２，３の棚受部40を形成するスリット41の寸法を短くして、スリット41の形成による側板２，３の強度低下を抑えることができるので、側板２，３の板厚を薄くすることが可能となって、書棚１が小型化および軽量化される。
【００６６】
さらに、前後方向に延びるスリット41を設けることにより形成される側板２，３の一部としての棚受部40は、側板２，３を形成する竹の繊維の方向と同じ前後方向に延びるため、棚受部40は、竹の強靱性により強度の高いものとなる。その結果、棚受部40が側板２，３の前縁にあるにも拘わらず、欠け等の損傷を生じにくくなって、耐久性のある書棚１が得られると共に、多数のスリット41の形成間隔を狭くしても、棚受部40は棚板５，６を支持するのに十分な強度を有しているので、棚板５，６の高さ位置の最小調節量、すなわち調節ピッチの設定の自由度が大きくなる。
【００６７】
左右の両側部にて棚受部40に支持される第１，第２棚板５，６を形成する竹集成材の竹の繊維の方向が左右方向であるため、竹の強靱性により各棚板５，６の残留撓みは極めて小さくなる。そのため、棚板５，６に置かれた書籍類の重量により棚板５，６に撓みが生じて、棚板５，６の左右に位置する棚受部40を支持点として棚板５，６が上下方向に湾曲したとしても、置かれていた書籍類を除いたとき、棚板５，６は元の形状に回復して、湾曲したままであることがない。
【００６８】
その結果、残留撓みによって第１，第２棚板５，６が湾曲したままの状態になることは殆どなく、初期の棚板５，６の形状を長期に渡って維持することができるので、棚受部40の強度を確保するためにスリット41の上下方向の幅を許容範囲の最小値に設定したとしても、棚板５，６の湾曲のためにスリット41に対する棚板５，６の抜き差しがスムーズに行われなくなる等の不具合が生じることはなく、スリット41に対する各棚板５，６のスムーズな抜き差を長期に渡って維持できる。
【００６９】
棚板５，６の後部の凸部5c，5d，6c，6dの凹溝53a，53b，54a，54bが、背板４の部分棚受部50a，50bの凸条52a，52bに係合するので、棚板５，６は、その側部の凸部5a，5b，6a，6bが側板２，３の棚受部に差し込まれているだけであるにも拘わらず、前方に移動しにくくなって、前方に開放しているスリット41から凸部5a，5b，6a，6bが抜け出しにくくなる。その結果、棚板５，６を所定位置に安定して保持でき、棚板５，６上で書籍類を移動させる際等に棚板５，６が移動することはない。
【００７０】
複式の書棚１において、両部分スリット51a，51bが設けられた背板４は、部分スリット51a，51bの間に位置する仕切部4bで上下方向に連続するため、背板４が上下方向に多数のスリット51を有し、しかも棚受部50で第１，第２棚板５，６を支持するにも拘わらず、この仕切部4bによって背板４の強度の低下を抑制できる。その結果、多数のスリット51の形成間隔を狭くしても、棚板５，６を支持するのに十分な強度が得られ、棚板５，６の高さ位置の最小調節量、すなわち調節ピッチの設定の自由度が大きくなる。
【００７１】
第１棚板５の両凸部5c，5dおよび第２棚板６の両凸部6c，6dは、背板４の板厚により規定される各部分棚受部50a，50bの支持面50a1，50b1上の左右方向の同一位置で、同一段に架設された第１棚板５の凸部5c，5dおよび第２棚板６の凸部6c，6dの後面同士が対向することがなく、最大限で、背板４の板厚の略全厚みを利用して各第２凸部を支持することが可能である。その結果、同一段の各部分棚受部50a，50bにおいても、第１，第２棚板５，６は背板４の板厚の厚みにより安定した状態で支持され、しかも全厚みを利用することにより、背板４の板厚も薄くすることが可能となって、物品載置棚の小型化および軽量化ができる。
【００７２】
背板４の各部分棚受部50a，50bの１条の凸条52a，52bが、第１，第２棚板５，６で共用されるため、第１，第２棚板５，６の凸部5c，5d，6c，6dの凹溝53a，53b，54a，54bが係合する凸条52a，52bを別々に設ける必要がなく、加工形成が容易であると共に、背板４の板厚を厚くする必要もない。さらに、第１，第２棚板５，６は同一仕様であるため、量産化効果を発揮できる。その結果、背板４の板厚を薄くできて、書棚１の小型化および軽量化ができる。また、量産化効果により書棚１のコスト削減ができる。
【００７３】
第１，第２棚部において共用される単一の背板４に設けられる棚受部50は、単式の書棚と同様に背板４を貫通するスリット51を設けることにより形成されるので、複式の書棚１において、棚受部50を有する背板４であるのにも拘わらず、その棚受部50の加工作業量は、単式の書棚のそれと同等である。書棚１の背板４の棚受部50の加工作業量が増加することはなく、棚受部50が設けられた背板４を有する書棚１の生産性が向上する。また、単式の書棚の背板と同一仕様の背板を、複式の書棚１に使用することも可能であり、これによって書棚１のコスト削減ができる。
【００７４】
第１棚板５の後部の両凸部5c，5dは、第２棚板６の後面と間隙を介して対向し、第２棚板６の後部の両凸部6c，6dは、第１棚板５の後面と間隙を介して対向している。その結果、第１棚板５および第２棚板６の後面同士が当接することが回避されて、各棚板５，６が、背板４の中央部である仕切部4bおよび左右の側縁部4cに当接して、各棚板５，６の前面が確実に所定の位置を占めるようにできる。
【００７５】
以下、前述した実施例の一部の構成を変更した実施例について、変更した構成に関して説明する。
前記実施例では、棚受部40の先端部が各側板２，３の前縁部にあるので、例えば書籍類を載せたワゴン等の固い物体との接触による棚受部40の損傷の可能性が皆無であるとはいえない。そこで、そのような損傷を防止するために、棚受部40を、その側面または前面から覆う化粧部材を取り付けてもよい。
【００７６】
すなわち、書棚１の一部分解された状態を示す斜視図である図１２に図示されるように、中間側板３の前面全体は、結合手段62で中間側面の前面に取り付けられる、中間側板３の板厚の１／２の左右方向の幅を有する２つの棒状の前面化粧部材60により覆われる。この結合手段62は、図１３に図示されるように、４段の円錐台形状を有する埋込み部63aと、係合孔63b2を形成すべく周方向に間隔をおいて設けられた４つの部分円筒片63b1からなる係合部63bとが一体成形された合成樹脂製の雌型コネクタ63と、４段の円錐台形状を有する埋込み部64aと、拡径部64b1を有する円柱状の凸部64bとが一体成形された合成樹脂製の雄型コネクタ64とからなる。そして、図１２の前面化粧部材60が中間側板３に取り付けられる前の部分斜視図である図１４に図示されるように、中間側板３の前面に埋込み部63aが埋め込まれた雌型コネクタ63の係合部63bの係合孔63b2に、前面化粧部材60の裏面に埋込み部64aが埋め込まれた雄型コネクタ64の凸部64bが嵌入されて、該凸部64bが部分円筒片63b1の弾性力により係合部63bと弾性係合することで、前面化粧部材60が中間側板３の前面に着脱自在に取り付けられる。
【００７７】
さらに、端部側板２の外側面全体は、結合手段62で端部側板２の外側面に着脱自在に取り付けられる板状の側面化粧部材61により覆われる。ここでは、端部側板２に埋め込まれた雌型コネクタ63と側面化粧部材61の裏面に埋め込まれた雄型コネクタ64（図１２には図示されず）との弾性係合により、側面化粧部材61が端部側板２に着脱自在に取り付けられる。このとき、側面化粧部材61の前後方向の長さは、前面化粧部材60の前後方向の寸法の２倍だけ、端部側板２の前後方向の長さよりも長くされていて、側面化粧部材61が端部側板２に取り付けられたとき、その前縁61aが、前面化粧部材60と同程度に端部側板２の前面から前方に突出する。
【００７８】
なお、図１２に図示された書棚１では、端部側板２の前面よりも側面化粧部材61が前方に突出していることで、物体との接触による棚受部40の損傷は防止されるため、端部側板２の前面には前面化粧部材60が取り付けられていないが、前面化粧部材60を取り付けてもよい。
【００７９】
それゆえ、この化粧部材60，61が取り付けられた変形実施例によれば、前記実施例の作用および効果に加えて以下の作用および効果が奏される。すなわち、前面化粧部材60により、端部側板２および中間側板３の前縁にある棚受部40が覆われ、また側面化粧部材61により端部側板２の前縁にある棚受部40が覆われるので、物体が棚受部40に接触するのが防止される。また、前面化粧部材60によりスリット41の、前方に開放されている部分が覆われるため、棚板５，６が前方に抜け出すことが防止される。また、両化粧部材60，61は着脱自在であるので、それら化粧部材60，61の交換等のメンテナンスが容易である。前面化粧部材60を外すことにより、棚板５，６の高さ位置を調節することができる。
【００８０】
その結果、棚受部40が前面化粧部材60または側面化粧部材61により覆われて、物体が棚受部40に接触するのが防止されるので、物体の接触により棚受部40に欠け等の損傷が発生するのを防止できる。また、前面化粧部材60を取り付けることにより、スリット41の、前方に開放されている部分が覆われるため、棚板５，６が前方に抜け出すことが防止される。さらに、棚板５，６の高さ位置の調節は、前面化粧部材60を外すことにより容易にできる。
【００８１】
前記各実施例では、背板４の各スリット51は、２つの部分スリット51a,51bから構成されるものであったが、単一のスリットから構成することもでき、その場合には、該単一のスリット内で、第１棚板５の後部の凸部と第２棚板６の後部の凸部とが左右方向で異なる位置において凸条と係合する。また、凸条52a，52bは、各部分スリット51a，51bの周壁面の少なくとも下壁面に設けられていればよい。さらに、凸条52a，52bは、連続することなく、棚板５，６の前方への移動を規制できる範囲で、凸条の延びる方向に、間隔をおいて断片的に設けられていてもよい。１条の凸条の代わりに、第１棚板５用の第１凸条および第２棚板６用の第２凸条を、互いに平行な状態で設けるようにしてもよい。さらに、各部分スリット51a，51bの周壁面の少なくとも下壁面（支持面51a1，51b1）に凹溝を設けて係止部を構成し、該凹溝に係合する凸条を棚板５，６の右側および左側凸部5c，5d，6c，6dに設けて被係止部を構成してもよい。また、前記実施例では、棚板５，６の凸部5a，5b，5c，5d，6a，6b，6c，6dは、棚板５，６自体の一部により形成されたが、棚板とは別体の部材により形成することもできる。
【００８２】
前記実施例では、背板４のスリット51は、左右方向に開放していないスリットであったが、左右方向に開放するスリットであってもよい。背板４は、複数の背板が左右方向に並んでいるものであってもよい。また、前記実施例では、棚板５，６の後部は、背板４に設けられたスリット51により形成される棚受部50で支持されたが、棚受部50は、背板４に左右方向に延びて設けられた溝により形成されてもよく、また左右方向に長い寸法を有するスリットではなく、棚板５，６の後部に設けられた略円柱状の凸部が差し込まれる略円形の孔であってもよい。また、棚板５，６の後部は、該棚板５，６の後面に設けられた孔または溝に嵌入されるスリット40の段数と等しい数のピンであって、側板の後部または背板に設けられたピンにより支持されるようにされてもよい。さらに、背当たりを有する棚板においては、背当たりの後面に設けられた孔または溝に前記ピンが嵌入されるようにされてもよい。
【００８３】
中間側板３の前面全体を覆う前面化粧部材は、２つの前面化粧部材60から構成されたが、中間側板３の板厚と等しい左右方向の幅を有する単一の前面化粧部材とすることもできる。
【００８４】
前記実施例では、書棚１は複式のものであったが、単式のものであってもよい。また、３連式以外の多連式書棚であってもよいし、２つの側板のみを備えた１連式書棚であってもよい。さらに、前記実施例では、物品載置棚は、書棚であったが、書籍類以外の物品を載置する棚であってよい。
【図面の簡単な説明】
【図１】本願発明の実施例である書棚の一部分解された状態を示す斜視図である。
【図２】図１の部分拡大図である。
【図３】図１の書棚の部分正面図である。
【図４】図６のＩＶ−ＩＶ線での部分断面図である。
【図５】図４の部分拡大図である。
【図６】図３のＶＩ−ＶＩ線断面図である。
【図７】図３のＶＩＩ−ＶＩＩ線での部分断面図である。
【図８】図３のＶＩＩＩ−ＶＩＩＩ線での部分断面図である。
【図９】ホルダの斜視図である。
【図１０】結合手段の斜視図である。
【図１１】背板と中間側板との結合部分の部分断面図であって、図３のＸＩ−ＸＩ線での部分断面図である。
【図１２】化粧部材が取り付けられた書棚の一部分解された状態を示す斜視図である。
【図１３】結合手段の斜視図である。
【図１４】化粧部材が中間側板に取り付けられる前の部分斜視図である。
【符号の説明】
１…書棚、２，３…側板、４…背板、4b…仕切部、５…棚板、5a，5b，5c，5d…凸部、６…棚板、6a，6b，6c，6d…凸部、７，８…底板、９…天板、10…基部、11…凹溝、12…ブックサポート、13…アングル材、14…ボルト孔、15…ボルト、16…枠体、17…ボルト孔、18…空間、19，20…外板、21…蓋板、22…ホルダ、
23…装着部、24…支持部、25…結合手段、26，27…コネクタ、28…結合手段、29…ピン、30，31…ナット、32…係止ボルト、
40…棚受部、40a…支持面、41…スリット、
50…棚受部、50a，50b…部分棚受部、50a1，50b1…支持面、51…スリット、51a，51b…部分スリット、52a，52b…凸条、53a，53b，54a，54b…凹溝、
60，61…化粧部材、62…結合手段、63，64…コネクタ、
Ｂ…木ネジ、C1，C2…調節部、Ｇ…間隙。
【図１】
0003707670.tif 000002
【図２】
0003707670.tif 000003
【図３】
0003707670.tif 000004
【図４】
0003707670.tif 000005
【図５】
0003707670.tif 000006
【図６】
0003707670.tif 000007
【図７】
0003707670.tif 000008
【図８】
0003707670.tif 000009
【図９】
0003707670.tif 000010
【図１０】
0003707670.tif 000011
【図１１】
0003707670.tif 000012
【図１２】
0003707670.tif 000013
【図１３】
0003707670.tif 000014
【図１４】
0003707670.tif 000015